(57)【要約】【課題】立ち上がり壁の下面とリムの後端部とで形成される入隅部という狭いスペースにおけるビス等の固着具による固定作業が不要な便器装置を提供する。【解決手段】リム２を有する前パーツ１と、局部洗浄ノズル４１を有する後パーツ３とを備える。リム２の後部の上面に、後方へ行く程上方に位置する立ち上がり壁２２が設けられ、立ち上がり壁２２とリム２の後端部の一方または両方に、局部洗浄ノズル４１が挿通される開口部２３が形成される。立ち上がり壁２２には、開口部２３を囲う防水壁が設けられ、下面に嵌合部が設けられる。前端部に被嵌合部が形成され、被嵌合部が嵌合部に嵌合された状態で後端部が立ち上がり壁２２の後端部よりも後方にまで突出し、突出した部分に前固定部８２が形成される連結部材８が設けられる。後パーツ３には、パッキン７を介して防水壁に当接した状態で前固定部８２に固定される後固定部が設けられる。【選択図】図１
2014118683.tif 000002
【特許請求の範囲】
【請求項１】
ボウル部の上端部となるリムを有する前パーツと、前記ボウル部内に向けて流体を吐出する流体吐出部を突没自在に前方に突出させる流体吐出装置を有する後パーツとを備え、
前記前パーツには、前記リムの後部の後端部よりも前方の上面に、後方へ行く程上方に位置する立ち上がり壁が設けられ、前記立ち上がり壁と前記リムの前記後端部の一方または両方に、前記流体吐出部が挿通される開口部が形成され、
前記立ち上がり壁の下面と前記リムの前記後端部の上面の一方または両方に、前記立ち上がり壁の下面と前記リムの前記後端部の上面の一方または両方とで前記開口部を囲う防水壁が設けられ、
前記立ち上がり壁の下面または前記防水壁に嵌合部が設けられ、
前端部に前記嵌合部に嵌合される被嵌合部が形成され、前記被嵌合部が前記嵌合部に嵌合された状態で後端部が前記立ち上がり壁の後端部よりも後方にまで突出し、前記立ち上がり壁よりも後方の部分に前固定部が形成される連結部材が設けられ、
前記後パーツには、前記後パーツがパッキンを介して前記防水壁に当接した状態で前記嵌合部に嵌合された前記連結部材の前記前固定部に固定される後固定部が設けられることを特徴とする便器装置。
【請求項２】
ボウル部の上端部となるリムを有する前パーツと、前記ボウル部内に向けて流体を吐出する流体吐出部を突没自在に前方に突出させる流体吐出装置を有する後パーツとを備え、
前記前パーツには、前記リムの後部の後端部よりも前方の上面に、後方へ行く程上方に位置する立ち上がり壁が設けられ、前記立ち上がり壁と前記リムの前記後端部の一方または両方に、前記流体吐出部が挿通される開口部が形成され、
前記立ち上がり壁の下面と前記リムの前記後端部の上面の一方または両方に、前記立ち上がり壁の下面と前記リムの前記後端部の上面の一方または両方とで前記開口部を囲う防水壁が設けられ、
前記立ち上がり壁の下面または前記防水壁に、前記立ち上がり壁の後端部よりも後方にまで突出する連結部が設けられ、前記連結部の前記立ち上がり壁の後端部よりも後方に前固定部が設けられ、
前記後パーツには、前記後パーツがパッキンを介して前記防水壁に当接した状態で前記前固定部に固定される後固定部が設けられることを特徴とする便器装置。
【請求項３】
前記前固定部と前記後固定部とは、一方がネジが挿通可能な貫通孔であり、他方が前記ネジが螺合するネジ孔であることを特徴とする請求項１または２記載の便器装置。
【発明の詳細な説明】
【技術分野】
【０００１】
本発明は、ボウル部の上端部となるリムを有する前パーツと、流体を吐出する流体吐出装置を有する後パーツとが連結される便器装置に関するものである。
【背景技術】
【０００２】
従来より、ボウル部の上端部となるリムを有する前パーツと、流体を吐出する流体吐出装置を有する後パーツとが連結される便器装置が知られている（例えば、特許文献１参照）。
【０００３】
この従来例の便器装置は、図８、図９に示すように、リム２を有する前パーツ１と、ボウル部内に向けて流体を吐出する流体吐出部として局部洗浄ノズル４１を突没自在に前方に突出させる局部洗浄装置４を有する後パーツ３とを備えている。前パーツ１には、リム２の後部の後端部２１よりも前方の上面に、後方へ行く程上方に位置する立ち上がり壁２２が設けられている。そして、立ち上がり壁２２とリム２の後端部２１の一方または両方に、局部洗浄ノズル４１が挿通される開口部２３が形成されている。  
【先行技術文献】
【特許文献】
【０００４】
【特許文献１】特開２００７−１９１９０１号公報
【発明の概要】
【発明が解決しようとする課題】
【０００５】
このような従来の便器装置にあっては、立ち上がり壁２２の下面とリム２の後端部２１とで形成される入隅部には、前パーツ１と後パーツ３とがパッキンを介して当接する部分を有する。しかしこのような入隅部という狭いスペースにおいて、作業者がビス等の固着具による固定作業を行うのは、作業性が悪いものであった。そのため、当接する部分から離れた部分に、ビス等の固着具により連結されるための連結部（不図示）が設けられており、パッキンの押圧が不足して、水密性が低下するおそれがあった。
【０００６】
本発明は上記従来の問題点に鑑みて発明したものであって、その目的とするところは、立ち上がり壁の下面とリムの後端部とで形成される入隅部という狭いスペースにおけるビス等の固着具による固定作業が不要で水密性が低下しにくいな便器装置を提供することにある。
【課題を解決するための手段】
【０００７】
上記課題を解決するために、本発明の便器装置は、以下のような構成とする。
【０００８】
ボウル部の上端部となるリムを有する前パーツと、前記ボウル部内に向けて流体を吐出する流体吐出部を突没自在に前方に突出させる流体吐出装置を有する後パーツとを備え、前記前パーツには、前記リムの後部の後端部よりも前方の上面に、後方へ行く程上方に位置する立ち上がり壁が設けられ、前記立ち上がり壁と前記リムの前記後端部の一方または両方に、前記流体吐出部が挿通される開口部が形成され、前記立ち上がり壁の下面と前記リムの前記後端部の上面の一方または両方に、前記立ち上がり壁の下面と前記リムの前記後端部の上面の一方または両方とで前記開口部を囲う防水壁が設けられ、前記立ち上がり壁の下面または前記防水壁に嵌合部が設けられ、前端部に前記嵌合部に嵌合される被嵌合部が形成され、前記被嵌合部が前記嵌合部に嵌合された状態で後端部が前記立ち上がり壁の後端部よりも後方にまで突出し、前記立ち上がり壁よりも後方の部分に前固定部が形成される連結部材が設けられ、前記後パーツには、前記後パーツがパッキンを介して前記防水壁に当接した状態で前記嵌合部に嵌合された前記連結部材の前記前固定部に固定される後固定部が設けられることを特徴とする。
【０００９】
また、上記課題を解決するために、本発明の便器装置は、以下のような構成とする。
【００１０】
ボウル部の上端部となるリムを有する前パーツと、前記ボウル部内に向けて流体を吐出する流体吐出部を突没自在に前方に突出させる流体吐出装置を有する後パーツとを備え、前記前パーツには、前記リムの後部の後端部よりも前方の上面に、後方へ行く程上方に位置する立ち上がり壁が設けられ、前記立ち上がり壁と前記リムの前記後端部の一方または両方に、前記流体吐出部が挿通される開口部が形成され、前記立ち上がり壁の下面と前記リムの前記後端部の上面の一方または両方に、前記立ち上がり壁の下面と前記リムの前記後端部の上面の一方または両方とで前記開口部を囲う防水壁が設けられ、前記立ち上がり壁の下面または前記防水壁に、前記立ち上がり壁の後端部よりも後方にまで突出する連結部が設けられ、前記連結部の前記立ち上がり壁の後端部よりも後方に前固定部が設けられ、前記後パーツには、前記後パーツがパッキンを介して前記防水壁に当接した状態で前記前固定部に固定される後固定部が設けられることを特徴とする。
【００１１】
また、前記前固定部と前記後固定部とは、一方がネジが挿通可能な貫通孔であり、他方が前記ネジが螺合するネジ孔であることが好ましい。
【発明の効果】
【００１２】
本発明の便器装置にあっては、立ち上がり壁の下面とリムの後端部とで形成される入隅部という狭いスペースにおけるビス等の固着具による固定作業が不要で、作業性が向上するものである。
【図面の簡単な説明】
【００１３】
【図１】本発明の一実施形態の便器装置の上カバーを取り外しリムを透過した状態の前方より見た斜視図である。
【図２】同上の便器装置の平面図である。
【図３】同上の便器装置のサイドスカートを取り外した状態の側面図である。
【図４】同上の便器装置のリアスカートおよびサイドスカートを取り外した状態の後方より見た斜視図である。
【図５】同上の便器装置のリムの後方より見た斜視図である。
【図６】同上の便器装置の要部拡大断面図である。
【図７】同上の便器装置の連結部材の下方より見た斜視図である。
【図８】従来例の便器装置のリムの後方より見た斜視図である。
【図９】従来例の便器装置の要部拡大断面図である。
【発明を実施するための形態】
【００１４】
以下、本発明の一実施形態について添付図面に基いて説明する。
【００１５】
便器装置は、図２乃至図４に示すように、ボウル部１１の上端部となるリム２を有する前パーツ１と、流体吐出装置を有する後パーツ３とを備えるものである。本実施形態では、前パーツ１は、ボウル部１１およびリム２を有する便器本体１０と、スカート部１２とを備えている。また、後パーツ３は、流体吐出装置としての局部洗浄装置４（図１参照）と、上カバー３１と、リアスカート３２と、左右のサイドスカート（不図示）備えている。また、本実施形態の便器装置は、更に、前パーツ１と後パーツ３を支持する支持フレーム６を備えている。
【００１６】
便器本体１０は、ボウル部１１と、ボウル部１１の上端開口縁の全周にわたって形成されたリム２とからなり、リム２の上面２０は便座載置面となる。ボウル部１１の底部の後部には回動自在な排水筒部（不図示）が設けられる。ボウル部１１とリム２は、本実施形態では合成樹脂で形成されるもので、一体に成形されてもよいし、別々に成形された後、溶着や接着により接合されてもよい。また、スカート部１２も合成樹脂で形成され、便器本体１０と一体に成形されてもよいし、便器本体１０とは別に成形された後、溶着や接着により接合されてもよい。また、スカート部１２は、便器本体１０に対して着脱自在に取り付けられてもよい。
【００１７】
なお、本実施形態では便器本体１０とスカート部１２とで前パーツ１が構成されているが、スカート部１２はなくてもよい。また、ボウル部１１とリム２とスカート部１２は、合成樹脂以外の材料で形成されてもよい。リム２については後で詳述する。
【００１８】
後パーツ３は、図１に示すように、前端部に、局部洗浄装置４を載置する装置ケース５を備えている。装置ケース５は、本実施形態では、前方および上方に開放される略箱状をしたもので、その前端縁は図示しないが略垂直な平面内に位置し、正面視略Ｕ字状をしている。局部洗浄装置４は、局部洗浄ノズル４１（図１参照）と、図示しないが、局部洗浄ノズル４１を駆動する駆動手段と、駆動手段を制御する制御部と、を備えている。局部洗浄ノズル４１は、流体をボウル部１１内に吐出する流体吐出部となるもので、本実施形態では水道等の水源に接続され、流体として水を吐出するものである。また、局部洗浄ノズル４１としては、おしり洗浄ノズル、ビデ洗浄ノズルが挙げられる。なお、局部洗浄ノズル４１の他に、流体吐出部として、おしり洗浄ノズルまたはビデ洗浄ノズルを洗浄するノズル洗浄ノズルを備えていてもよい。
【００１９】
駆動手段として、局部洗浄ノズル４１を進退させるモータが設けられてもよい。また、駆動手段として、水源としての水道との連通および遮蔽を切り替える電磁弁を備え、水道と連通させて水道圧により局部洗浄ノズル４１を前進させたり、水道から遮蔽してばね等の付勢手段により局部洗浄ノズル４１を後退させるものでもよい。駆動手段としては他の手段でもよく、特に限定されない。
【００２０】
制御部は、マイクロコンピュータ等からなり、駆動手段を制御して、局部洗浄ノズル４１の進退と、局部洗浄ノズル４１からの流体の吐出と停止を切り替えるものである。また、局部洗浄ノズル４１として複数のノズルを備えている場合には、各ノズル毎に駆動可能な駆動手段を備え、制御部は任意のノズルを駆動させるように制御する。
【００２１】
上記のような局部洗浄装置４のうち局部洗浄ノズル４１が、後パーツ３の前端部の装置ケース５に載置されている。局部洗浄ノズル４１は、前進することで装置ケース５から前方に突出し、後退することで装置ケース５から突出しない状態となる。なお、最も後退した状態で装置ケース５から若干突出していてもよい。
【００２２】
また、本実施形態では、図示しないが、装置ケース５の後方に、送風ダクト、貯湯タンク、送水用ポンプ等の機能部品が設置される。また、装置ケース５の側方に、温風供給用の温風ファンが設置されている。
【００２３】
後パーツ３を構成する上カバー３１、リアスカート３２、左右のサイドスカートは、本実施形態では合成樹脂で形成され、着脱自在に組み合わせられる。なお、上カバー３１、リアスカート３２、左右のサイドスカートはなくてもよい。また、上カバー３１、リアスカート３２、左右のサイドスカート、装置ケース５は、合成樹脂以外の材料で形成されてもよい。
【００２４】
図１、図５に示すように、前パーツ１には、リム２の後部の後端部２１よりも前方の上面に、後方へ行く程上方に位置する立ち上がり壁２２が設けられるものである。本実施形態では、立ち上がり壁２２は、リム２の後部から突出する基端部側の略半部においては、後方へ行く程上方に位置するように傾斜し、先端部側の略半部においては、略上方に向けて起立している。この立ち上がり壁２２により、リム２の上面を伝って水が後パーツ３の方へ浸入するのが防止される。
【００２５】
そして、立ち上がり壁２２とリム２の後端部２１の一方または両方に、流体吐出部（局部洗浄ノズル４１）が挿通される開口部２３が形成されるものである。本実施形態では、図５、図６に示すように、立ち上がり壁２２の下端部からリム２の後端部２１にかけて、開口部２３が形成されている。
【００２６】
そして更に、立ち上がり壁２２の下面とリム２の後端部２１の上面の一方または両方に、立ち上がり壁２２の下面とリム２の後端部２１の上面の一方または両方とで開口部２３を囲う防水壁２４が設けられるものである。本実施形態では、図５、図６に示すように、防水壁２４として、開口部２３の左右両側に、立ち上がり壁２２の下面からリム２の後端部２１の上面にかけてリブ２５が形成され、後端部２１の上面に、前記左右のリブ２５を連結する連結リブ２６が形成されている。本実施形態の防水壁２４は、左右のリブ２５と連結リブ２６からなり、装置ケース５の前端縁と同じ略Ｕ字状をしたもので、後端縁は略垂直な平面内に位置している。
【００２７】
防水壁２４の後端縁には、図５に示すように、パッキン７が装着される。パッキン７は、防水壁２４の後端縁に形成された凹溝に嵌入されてもよいし、パッキン７が断面略Ｕ字状に形成され、防水壁２４の後端縁に被嵌されてもよい。
【００２８】
前パーツ１と後パーツ３は、連結部材８により連結されるものである。連結部材８は、図７に示すように、前端部に被嵌合部８１が形成され、後部に前固定部８２が形成されるものである。本実施形態の連結部材８は、前横片と、前横片の後端縁より垂下する前縦片と、前縦片の下端より後方へ突出する後横片と、を備えたもので、更に後横片の後端縁より後縦片が垂下されている。なお、連結部材８は本実施形態のような形状に限定されない。前横片の前端部の下面に、下面視矩形状をした凸部である被嵌合部８１が下方に突設されている。
【００２９】
前パーツ１の立ち上がり壁２２の下面または防水壁２４には、被嵌合部８１に嵌合する嵌合部２７が設けられるものである。本実施形態では、図５に示すように、左右のリブ２５の上端位置に、立ち上がり壁２２の下面から後方に向けて、板面が上下を向く板状の嵌合用リブ２８が突設されている。そして、嵌合用リブ２８に、上下に貫通する、被嵌合部８１と略同じ形状をして該被嵌合部８１より若干大きい開口からなる嵌合部２７が形成されている。
【００３０】
後パーツ３には、後パーツ３がパッキン７を介して前パーツ１の防水壁２４に当接した状態で、連結部材８の前固定部８２に固定される後固定部が設けられるものである。本実施形態では、特に図示しないが、後固定部は装置ケース５に形成される。
【００３１】
本実施形態では、前固定部８２と後固定部は、前固定部８２がネジからなる固着具８３が挿通可能な貫通孔であり（図７参照）、後固定部がネジが螺合するネジ孔で構成される。なお、前固定部８２がネジ孔で、後固定部が貫通孔で構成されてもよい。また、前固定部８２と後固定部は、図示しないが、両方貫通孔で形成されて、ネジとナットで締結されたり、あるいは、凸部からなる嵌合部と、凹部や開口からなる被嵌合部とで構成されてもよく、形態は特に限定されない。
【００３２】
次に、前パーツ１と後パーツ３の連結について説明する。前パーツ１は、支持フレーム６にネジからなる固着具（不図示）により固定されるが、嵌合により支持フレーム６に固定されてもよい。前パーツ１には、連結部材８が取り付けられる。連結部材８は、その被嵌合部８１が、上方より前パーツ１の嵌合部２７に嵌入される（図１参照）。連結部材８は、被嵌合部８１が嵌合部２７に嵌入された状態で、後端部が立ち上がり壁２２の後端部よりも後方にまで突出し、立ち上がり壁２２よりも後方の部分に前固定部８２が位置するように形成される。
【００３３】
そして、図１に示すように、支持フレーム６に固定された前パーツ１に、後方より後パーツ３が装着されて固定される。前パーツ１の防水壁２４の後端縁に、パッキン７を介して後パーツ３の装置ケース５の前端縁が後方より当接される。そして、この状態で、連結部材８の前固定部８２と後パーツ３の後固定部とが前後方向において同じ位置に上下にずれて位置する。そして、前固定部８２と後固定部のうちの貫通孔からなる方より固着具８３が挿通され、ネジ孔からなる方に固着具８３が固着されることで、前パーツ１と後パーツ３とが、連結部材８を介して連結固定される。
【００３４】
防水壁２４の後端縁に、パッキン７を介して装置ケース５の前端縁が当接された状態で固定されているため、ボウル部１１内からの水が開口部２３を介して装置ケース５内には浸入可能であるが、装置ケース５外には漏出しない。装置ケース５内には局部洗浄ノズル４１以外の機能部品は収納されていないため、水が浸入しても支障ない。
【００３５】
また、本実施形態においては、立ち上がり壁２２とリム２の後端部２１とにかけて、防水壁２４の左右外側の部分に、温風が吐出される開口部２９が形成されており、温風ファンにより開口部２９を介して温風が吐出可能である。
【００３６】
本発明においては、上記のように、前パーツ１の傾斜する立ち上がり壁２２の下面に設けられた嵌合部２７に、連結部材８の被嵌合部８１が嵌合され、この連結部材８に後パーツ３が固定されることで、前パーツ１と後パーツ３の連結が容易に行われる。
【００３７】
すなわち、前パーツ１の立ち上がり壁２２の防水壁２４と、後パーツ３の前縁部（装置ケース５の前縁部）とが、パッキン７を介して当接するため、この立ち上がり壁２２と後パーツ３とが連結固定される必要がある。ここで、立ち上がり壁２２の下面に、後パーツ３と取り付けられる取り付け部分（本実施形態における嵌合部２７に相当）が設けられる場合について説明する。取り付け部分が、立ち上がり壁２２の下面の先端部側すなわち上端側に設けられると、立ち上がり壁２２はリム２から片持ち状に突出するものであるため、立ち上がり壁２２の基端部に過大な曲げモーメントがかかって好ましくない。また、取り付け部分が、立ち上がり壁２２の下面の基端部に設けられるとすると、立ち上がり壁２２の下面の基端部は、リム２の後端部２１とで形成される入隅部となっており、取り付け部分が設けられるスペースや、取り付け部分が設けられる場合の取り付け作業のスペースが充分にとれない。
【００３８】
そこで、立ち上がり壁２２の先端部を避けた部分に、連結部材８が連結される嵌合部２７が設けられ、この嵌合部２７に連結部材８が嵌合により連結される。そして、連結部材８の後端部および前固定部８２が、立ち上がり壁２２の後端部よりも後方に位置するように形成されている。このため、作業者は、立ち上がり壁２２の下面とリム２の後端部２１とで形成される入隅部に設けられる嵌合部２７に、連結部材８の前端部を挿入して、被嵌合部８１を嵌合部２７に嵌合させるだけでよい。これにより、入隅部という取り付け作業を行うスペースとしては狭いスペースにおいて、ビス等の固着具による固定作業が不要となり、作業性が向上する。そして、連結部材８と後パーツ３との連結は、立ち上がり壁２２の後方の広いスペースにおいて、ビスからなる固着具８３による固定作業が可能であり、作業性が向上するものである。
【００３９】
また、本実施形態では、前パーツ１の防水壁２４の後端縁と後パーツ３の装置ケース５の前端部は、略垂直な平面内に位置している。このため、パッキン７を介して当接するにあたり、後パーツ３が後方より前方に向けて移動し、移動の最後に装置ケース５の前端部がパッキン７全体に当接し、移動が終了する。図８に示す従来例においては、後パーツ３がパッキン７に当接しながら移動して、パッキン７に捻れ等の変形が発生し易いが、本実施形態においては、このようなパッキン７の変形が起こり難い。この結果、パッキン７の変形による止水性の低下によって、ボウル部１１内から水が開口部２３を介して装置ケース５の前端部から後パーツ３内（装置ケース５内を除く）に浸入し、温風ファン等の機能部品が損傷するのが防止される。
【００４０】
なお、上記の実施形態は、前パーツ１に連結部材８を取り付けてから、後パーツ３を後方より当接させたが、前パーツ１に、後パーツ３の装置ケース５の前端縁を後方より当接させた後、前パーツ１に連結部材８を取り付けてもよい。この場合も、前パーツ１に連結部材８を取り付けると、連結部材８の前固定部８２と後パーツ３の後固定部とが前後方向において同じ位置に上下にずれて位置する。そして、前固定部８２と後固定部のうちの貫通孔からなる方より固着具８３が挿通され、ネジ孔からなる方に固着具８３が固着されることで、前パーツ１と後パーツ３とが、連結部材８を介して連結固定される。
【００４１】
次に、他の実施形態について説明する。本実施形態は、上記実施形態と大部分において同じであるため、同じ部分については説明を省略し、異なる部分について説明する。
【００４２】
上記実施形態においては、前パーツ１および後パーツ３とは別体の連結部材８を介して
、前パーツ１と後パーツ３とが連結されていた。これに対し本実施形態では、前パーツ１と一体の連結部が設けられ、この連結部に後パーツ３が連結固定されるものである。
【００４３】
連結部は、立ち上がり壁２２の下面に、立ち上がり壁２２の後端部よりも後方にまで突出するように設けられる。そして、連結部の立ち上がり壁２２の後端部よりも後方の部分に、前固定部が設けられる。この前固定部は、上記実施形態の連結部材８に設けられる前固定部８２と同様のものである。また、後パーツ３には、上記実施形態と同様の後固定部が設けられる。
【００４４】
本実施形態においては、作業者は、上記実施形態における連結部材８の被嵌合部８１を、立ち上がり壁２２に設けられる嵌合部２７に嵌合させる作業を省略できる。これにより、上記実施形態と同様の効果が得られるだけでなく、より一層の作業性の向上が図られるものである。
【符号の説明】
【００４５】
１    前パーツ
１０  便器本体
１１  ボウル部
１２  スカート部
１３  排水筒部
２    リム
２０  上面
２１  後端部
２２  立ち上がり壁
２３  開口部
２４  防水壁
２５  リブ
２６  連結リブ
２７  嵌合部
２８  嵌合用リブ
３    後パーツ
３１  上カバー
３２  リアスカート
４    局部洗浄装置
４１  局部洗浄ノズル
５    装置ケース
６    支持フレーム
７    パッキン
８    連結部材
８１  被嵌合部
８２  前固定部
８３  固着具
【図１】
2014118683.tif 000003
【図２】
2014118683.tif 000004
【図３】
2014118683.tif 000005
【図４】
2014118683.tif 000006
【図５】
2014118683.tif 000007
【図６】
2014118683.tif 000008
【図７】
2014118683.tif 000009
【図８】
2014118683.tif 000010
【図９】
2014118683.tif 000011